(57)【要約】【課題】吸収性物品の厚みが薄く、吸収性能、フィット性、装着感が良好な吸収性物品を提供することを目的とする。【解決手段】吸収性シート２０を有する吸収性物品１において、吸収性シート２０は、３枚の不織布シート２１と、それぞれの不織布シート２１の間に高吸収性ポリマーを担持させた高吸収性ポリマー層２２を有し、最も上側に位置する吸収性シート２０における最上層である第一層の高吸収性ポリマー層２２１は、吸収性シート２０の幅方向中心部において、高吸収性ポリマーが存在しない高吸収性ポリマー中心非積層部２３を吸収性シート２０の長手方向に沿って有し、最も下側に位置する吸収性シート２０における最下層である第二層の高吸収性ポリマー層２２２は、高吸収性ポリマー中心非積層部２３の幅方向の全部又は一部に、高吸収性ポリマーが吸収性シート２０の長手方向に沿って存在している吸収性物品１である。【選択図】図１
2018057707.tif 000002
【特許請求の範囲】
【請求項１】
液透過性のトップシートと、液不透過性のバックシートと、トップシート及びバックシートの間に配置された１枚以上の吸収性シートと、を有する吸収性物品であって、
前記吸収性シートは、
３枚の不織布シートと、
それぞれの不織布シートの間に高吸収性ポリマーを担持させた高吸収性ポリマー層を有し、
最も上側に位置する吸収性シートにおける最上層である第一層の高吸収性ポリマー層は、
前記吸収性シートの幅方向中心部において、高吸収性ポリマーが存在しない高吸収性ポリマー中心非積層部を前記吸収性シートの長手方向に沿って有し、
最も下側に位置する吸収性シートにおける最下層である第二層の高吸収性ポリマー層は、
前記高吸収性ポリマー中心非積層部の幅方向の全部又は一部に、高吸収性ポリマーが前記吸収性シートの長手方向に沿って存在している吸収性物品。
【請求項２】
吸収性物品が１枚のみの吸収性シートを有し、
前記吸収性シートにおける最下層である第二層の高吸収性ポリマー層は、
前記吸収性シートの幅方向中心線の両側において、高吸収性ポリマーが存在しない高吸収性ポリマー両側非積層部を前記吸収性シートの長手方向に沿って有している請求項１に記載の吸収性物品。
【請求項３】
吸収性物品が上側と下側に２枚の吸収性シートを有し、
上側に位置する吸収性シートにおける前記最上層である第一層の高吸収性ポリマー層の下層である第二層の高吸収性ポリマー層と、下側に位置する吸収性シートにおける上層である第一層の高吸収性ポリマー層のいずれか一方又は両方は、
前記吸収性シートの幅方向中心部において、高吸収性ポリマー中心非積層部を前記吸収性シートの長手方向に沿って有し、
前記下側に位置する吸収性シートにおける最下層である第二層の高吸収性ポリマー層は、
前記下側に位置する吸収性シートの幅方向中心線の両側において、高吸収性ポリマーが存在しない高吸収性ポリマー両側非積層部を前記下側に位置する吸収性シートの長手方向に沿って有している請求項１に記載の吸収性物品。
【請求項４】
前記上側に位置する吸収性シートにおける前記下層である第二層の高吸収性ポリマー層と、前記下側に位置する吸収性シートにおける前記上層である第一層の高吸収性ポリマー層のいずれか一方又は両方は、
前記吸収性シートの幅方向中心線の両側において、高吸収性ポリマーが存在しない高吸収性ポリマー両側非積層部を前記吸収性シートの長手方向に沿って有している請求項３に記載の吸収性物品。
【発明の詳細な説明】
【技術分野】
【０００１】
本発明は、軟失禁パッド等の吸収性物品に関する。
【背景技術】
【０００２】
社会の高齢化の進行と、健康志向の高まりの中で、昨今、活動的な高齢者層の増加が見込まれている。高齢者が使用する、軽失禁パッドや、ライナー等の吸収性物品は、比較的多量の体液を吸収可能なものがほとんどであり、これに対応して、吸収性物品の厚みも厚くならざるを得ない。しかしながら、このような厚みの厚い吸収性物品を着用した場合、高齢者の活動の際に違和感を生じさせてしまう等、活動的な高齢者層による使用の際に問題が生じる可能性があった。
【０００３】
このような状況を反映して、近年では、吸収性物品の厚みを薄くし、フィット性を向上させた吸収性物品が上市されている。ここで、吸収性物品を薄型化するために、吸収体に高吸収性ポリマー（ＳＡＰ）を含む高吸収性ポリマーシート（ＳＡＰシート）を用いる場合が多い。ＳＡＰシートを用いる場合、不織布等に均一にＳＡＰを分布させると、体液を吸収して膨潤した高吸収性ポリマーによってゲルブロッキングが生じることで吸収性能が損なわれる場合があるほか、ＳＡＰシートの剛性が高いために吸収性物品のフィット性が損なわれる場合もある。また、ＳＡＰシートを用いる場合、筋状等のパターンで分布させると、体液を吸収して膨潤したＳＡＰによって多数の凹凸が大きく生じ、装着感が損なわれる場合がある。
【０００４】
この点、ＳＡＰシートの幅方向の両端部付近に、高吸収性ポリマーが存在しない領域を長手方向に沿って有する吸収性物品の場合、吸収性物品の幅方向のフィット性は向上する（特許文献１参照）。しかし、排尿領域となる吸収性物品の幅方向中心部では、体液を吸収して膨潤した高吸収性ポリマーによって、吸収性物品の長手方向のフィット性が損なわれ、また吸収性物品の幅方向中心部で装着感が損なわれる。
【先行技術文献】
【特許文献】
【０００５】
【特許文献１】特許第５７０９７９６号公報
【発明の概要】
【発明が解決しようとする課題】
【０００６】
しかしながら、ＳＡＰシートの幅方向中心部に、高吸収性ポリマーが存在しない領域を長手方向に沿って有する吸収性物品の場合、吸収性物品の長手方向と幅方向のフィット性が向上し、吸収性物品の幅方向中心部で装着性も向上するが、体液を吸収する領域が存在しなくなり、吸収性能が損なわれてしまう。
【０００７】
したがって、本発明は、吸収性物品の厚みが薄く、吸収性能、フィット性、装着感が良好な吸収性物品を提供することを目的とする。
【課題を解決するための手段】
【０００８】
本発明者らは、上記課題に鑑み、鋭意研究を行った。その結果、吸収性シートを有する吸収性物品において、吸収性シートが３枚の不織布シートと、それぞれの不織布シートの間に高吸収性ポリマーを担持させた高吸収性ポリマー層を有し、最も上側に位置する吸収性シートにおける最上層である第一層の高吸収性ポリマー層は、吸収性シートの幅方向中心部において、高吸収性ポリマーが存在しない高吸収性ポリマー中心非積層部を吸収性シートの長手方向に沿って有し、最も下側に位置する吸収性シートにおける最下層である第二層の高吸収性ポリマー層は、高吸収性ポリマー中心非積層部の幅方向の全部又は一部に、高吸収性ポリマーが吸収性シートの長手方向に沿って存在していることによって、上記課題を解決できることを見出し、本発明を完成するに至った。具体的には、本発明は以下のものを提供する。
（１）本発明の第一の態様は、液透過性のトップシートと、液不透過性のバックシートと、トップシート及びバックシートの間に配置された１枚以上の吸収性シートと、を有する吸収性物品であって、前記吸収性シートは、３枚の不織布シートと、それぞれの不織布シートの間に高吸収性ポリマーを担持させた高吸収性ポリマー層を有し、最も上側に位置する吸収性シートにおける最上層である第一層の高吸収性ポリマー層は、前記吸収性シートの幅方向中心部において、高吸収性ポリマーが存在しない高吸収性ポリマー中心非積層部を前記吸収性シートの長手方向に沿って有し、最も下側に位置する吸収性シートにおける最下層である第二層の高吸収性ポリマー層は、前記高吸収性ポリマー中心非積層部の幅方向の全部又は一部に、高吸収性ポリマーが前記吸収性シートの長手方向に沿って存在している吸収性物品である。
（２）（１）に記載の吸収性物品において、吸収性物品が１枚のみの吸収性シートを有し、前記吸収性シートにおける最下層である第二層の高吸収性ポリマー層は、前記吸収性シートの幅方向中心線の両側において、高吸収性ポリマーが存在しない高吸収性ポリマー両側非積層部を前記吸収性シートの長手方向に沿って有していてもよい。
（３）本発明の第二の態様は、（１）に記載の吸収性物品において、吸収性物品が上側と下側に２枚の吸収性シートを有し、上側に位置する吸収性シートにおける前記最上層である第一層の高吸収性ポリマー層の下層である第二層の高吸収性ポリマー層と、下側に位置する吸収性シートにおける上層である第一層の高吸収性ポリマー層のいずれか一方又は両方は、前記吸収性シートの幅方向中心部において、高吸収性ポリマー中心非積層部を前記吸収性シートの長手方向に沿って有し、前記下側に位置する吸収性シートにおける最下層である第二層の高吸収性ポリマー層は、前記下側に位置する吸収性シートの幅方向中心線の両側において、高吸収性ポリマーが存在しない高吸収性ポリマー両側非積層部を前記下側に位置する吸収性シートの長手方向に沿って有している吸収性物品である。
（４）（３）に記載の吸収性物品において、前記上側に位置する吸収性シートにおける前記下層である第二層の高吸収性ポリマー層と、前記下側に位置する吸収性シートにおける前記上層である第一層の高吸収性ポリマー層のいずれか一方又は両方は、前記吸収性シートの幅方向中心線の両側において、高吸収性ポリマーが存在しない高吸収性ポリマー両側非積層部を前記吸収性シートの長手方向に沿って有していてもよい。
【発明の効果】
【０００９】
本発明によると、吸収性物品は、最も上側に位置する吸収性シートにおける最上層である第一層の高吸収性ポリマー層に、吸収性シートの幅方向中心部において、高吸収性ポリマーが存在しない高吸収性ポリマー中心非積層部を吸収性シートの長手方向に沿って有している。そのため、吸収性物品の厚みを薄く、かつ排尿領域となる吸収性シートの幅方向中心部でゲルブロッキングが少なく吸収性能が良好な吸収性物品となる。そして、吸収性シートの長手方向及び幅方向のフィット性も良好で、吸収性シートの幅方向中心部の高吸収性ポリマーが膨潤しても身体を圧迫しづらく装着感も良好な吸収性物品となる。さらに、本発明によると、吸収性物品は、最も下側に位置する吸収性シートにおける最下層である第二層の高吸収性ポリマー層に、高吸収性ポリマー中心非積層部の幅方向の全部又は一部に、高吸収性ポリマーが吸収性シートの長手方向に沿って存在している。そのため、排尿領域となる吸収性シートの幅方向中心部において、ゲルブロッキングを防止しつつ、体液の漏れも防止する吸収性能が良好な吸収性物品とすることができる。
【図面の簡単な説明】
【００１０】
【図１】本発明の第一の実施形態に係る吸収性物品であって、（ａ）本発明の吸収物品の外観を示す上面平面図、（ｂ）と（ｃ）は（ａ）におけるＡ−Ａ断面概略図を示す。
【図２】本発明の第二の実施形態に係る吸収性物品であって、（ａ）吸収性物品の外観を示す上面平面図、（ｂ）から（ｄ）は（ａ）のＢ−Ｂ断面開略図の一例をそれぞれ示す。
【発明を実施するための形態】
【００１１】
以下に本発明の実施形態について詳細に説明するが、これらは例示の目的で掲げたものでこれらにより本発明を限定するものではない。
【００１２】
以下では、図面を参照して、本発明の実施形態に係る吸収性物品１について、実施形態ごとに詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び装着後の少なくとも一方を示す。なお、本明細書の説明において、吸収性物品１の長手方向とは、吸収性物品１が着用されたときに着用者の前後に亘る方向であり、吸収性物品１の幅方向とは、長手方向に対して横又は直交する方向である。さらに、本明細書において、吸収性物品１の各構成の上側又は上層とは、吸収性物品１の着用時に着用者に当接する側に配置される側又は層を指し、下側又は下層とは、対応する上側又は上層よりも、吸収性物品１の着用時に着用者の衣類に当接する側に配置される側又は層を指す。
【００１３】
［第一の実施形態］
図１は、本発明の第一の実施形態に係る吸収性物品１の平面上面図及び断面図である。
【００１４】
＜吸収性物品＞
本発明の実施形態１に係る吸収性物品１は、液透過性のトップシート１０と、液不透過性のバックシート３０と、トップシート１０及びバックシート３０の間に配置された１枚以上の吸収性シート２０とを有する。
【００１５】
（トップシート）
トップシート１０は、吸収性シート２０に向けて体液を速やかに通過させるものであり、吸収性シート２０を挟んで、バックシート３０と対向して配置されている。トップシート１０は、肌と当接するシートとなることから、柔らかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート１０は、単層であっても、複数層積層されていてもよく、ドライタッチ性を付与するために多数の透孔が形成されていてもよい。
【００１６】
不織布としては、ポリエチレンやポリプロピレン等の合成繊維やレーヨン等の再生繊維、綿等の天然繊維を用いて、サーマルボンド法のほか、スパンレース法やスパンボンド法等の公知の加工法によって得られたものも用いることができる。加工性及び強度の点から、トップシート１０の坪量は、１５ｇ／ｍ２以上５０ｇ／ｍ２以下であることが好ましい。トップシート１０には、肌への刺激を低減させるために、ローション、酸化防止剤、抗炎症成分、ｐＨ調整剤、抗菌剤、保湿剤等を適用してもよい。トップシート１０は、着用者の股部が位置づけられる長手方向中央に括れ部を有する砂時計形状、略矩形状等の形状を有していてもよく、吸収性シート２０の側縁よりも若干外方に延在して設けられていてもよい。
【００１７】
（バックシート）
バックシート３０は、吸収性物品１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股部が位置づけられる長手方向中央に括れ部を有する砂時計形状、略矩形状等の形状を有していてもよく、吸収性シート２０の側縁より若干外方に延在して設けられていてもよい。バックシート３０の下側表面には、着用時に下着等に吸収性物品１を固着するための粘着剤層が設けられていてもよい。吸収性物品１が粘着剤層を有する場合、後述する、吸収性シート２０の幅方向中心部において高吸収性ポリマーが存在しない高吸収性ポリマー中心非積層部２３及び吸収性シート２０の幅方向中心線の両側において高吸収性ポリマーが存在しない高吸収性ポリマー両側非積層部２４の厚さ方向に重なる位置に粘着剤層を設けると着用時に吸収性シート２０の変形を抑えることができる。またこの位置を外して粘着剤層を設けてもよい。
【００１８】
粘着剤層を保護するために剥離シートを有していてもよく、この剥離シートは、吸収性物品１の包装シートと一体となっていてもよい。トップシート１０及びバックシート３０は、長手方向端部等、端部の少なくとも一部において、吸収性シート２０を挟まずに、ホットメルト接着剤やヒートシール等により固着されるフラップを形成していてもよい。
【００１９】
（吸収性シート）
吸収性シート２０は、３枚の不織布シート２１と、それぞれの不織布シート２１の間に高吸収性ポリマーを担持させた高吸収性ポリマー層２２を有しており、吸収性物品１に１枚以上の吸収性シート２０を設ける。
【００２０】
本発明の吸収性シート２０に用いることができる不織布シート２１としては、従来、吸収性シート２０の製造に使用されている不織布と同類の不織布を用いることができるが、具体的には、エアレイド不織布、エアスルー不織布、スパンボンド不織布、メルトブロー不織布、サーマルボンド不織布等、従来公知の製法で製造された任意の親水性不織布又は疎水性不織布を挙げることができる。
【００２１】
不織布シート２１に用いられる不織布の坪量は、１０ｇ／ｍ２以上５０ｇ／ｍ２以下であることが好ましく、１５ｇ／ｍ２以上４５ｇ／ｍ２以下であることがより好ましい。不織布の坪量を上記の範囲内のものとすることにより、吸収性シート２０の厚みを十分に薄くすることができる。
【００２２】
吸収性シート２０における高吸収性ポリマー層２２の高吸水性ポリマー（以下、ＳＡＰとも称する）としては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００２３】
吸収性シート２０全体での高吸収性ポリマーの量は、３０ｇ／ｍ２以上５００ｇ／ｍ２以下の坪量とすることが好ましく、吸収性シート２０全体の重量に対して、１０質量％以上９０質量％以下の含有量とすることが好ましい。
【００２４】
高吸収性ポリマー層２２は、接着剤が塗布された不織布に高吸収性ポリマーを分布させて形成される。接着剤としては特に制限はないがホットメルト接着剤が好ましい。また、接着剤の塗布方法としては特に制限はないが、スロットコートやスプレーコートで塗布することが好ましい。
【００２５】
（（高吸収性ポリマー中心非積層部））
図１（ａ）から（ｂ）に示すように、吸収性物品１は、吸収性シート２０を１枚以上有しており、最も上側に位置する吸収性シート２０における最上層である第一層の高吸収性ポリマー層２２１は、吸収性シート２０の幅方向中心部において、高吸収性ポリマーが存在しない高吸収性ポリマー中心非積層部２３を吸収性シート２０の長手方向に沿って有している。
【００２６】
これにより、吸収性シート２０の幅方向中心部において、高吸収性ポリマーが長手方向に存在していないため、排尿領域となる吸収性シート２０の幅方向中心部でゲルブロッキングを少なくすることができ、吸収性能が良好となる。また、吸収性シート２０の幅方向中心部に高吸収性ポリマー中心非積層部２３を長手方向に設けることで、吸収性シート２０の長手方向及び幅方向の可撓性が向上し、フィット性が良好となる。また。最上層である第一層の高吸収性ポリマー層２２１においては、吸収性シート２０の幅方向中心部に高吸収性ポリマーが存在していないため、高吸収性ポリマーが体液を吸収して膨潤することで身体に与える圧迫感が減少され、装着感が良好となる。
【００２７】
高吸収性ポリマー中心非積層部２３の外形は、直線状、曲線状、破線状等、長手方向に延在できる形状であればよい。
【００２８】
高吸収性ポリマー中心非積層部２３の長手方向の寸法は、５０ｍｍ以上３００ｍｍ以下であることが好ましく、幅方向の寸法は、１ｍｍ以上３０ｍｍ以下であることが好ましい。上記の数値範囲内とすることにより、吸収性シート２０の長手方向及び幅方向の可撓性がより向上し、フィット性がより良好となる。
【００２９】
図１（ｂ）に示すように、最も下側位置する吸収性シート２０における最下層である第二層の高吸収性ポリマー層２２２は、高吸収性ポリマー中心非積層部２３の幅方向の全部又は一部に、高吸収性ポリマーが吸収性シート２０の長手方向に沿って存在しており、幅方向の一部に存在していることが好ましい。
【００３０】
これにより、高吸収性ポリマーが、排尿領域における体液を、吸収性能、フィット性、装着感を損なうことなく吸収し、吸収性シート２０の幅方向中心部における体液の漏れを防止することができる。
【００３１】
なお、図１（ｂ）及び（ｃ）に示すように、最も上側に位置する吸収性シートと最も下側に位置する吸収性シートとが同一の吸収性シート２０であってもよく、その場合には、１枚の吸収性シート２０になる。
【００３２】
（（高吸収性ポリマー両側非積層部））
図１（ｃ）に示すように、本発明の第一の実施形態に係る吸収性物品１は１枚のみの吸収性シート２０を有し、吸収性シート２０における最下層である第二層の高吸収性ポリマー層２２２は、吸収性シート２０の幅方向中心線の両側において、高吸収性ポリマーが存在しない高吸収性ポリマー両側非積層部２４を吸収性シート２０の長手方向に沿って有していることが好ましい。
【００３３】
これにより、不織布シート２１と高吸収性ポリマー両側非積層部２４を介して、体液が最下層である第二層の高吸収性ポリマー層２２２に吸収されるため、吸収性能がより良好となる。また、吸収性シート２０の幅方向中心線の両側において、高吸収性ポリマーが存在しない高吸収性ポリマー両側非積層部２４を設けることで、吸収性シート２０の長手方向及び幅方向可撓性がより向上し、フィット性がより良好となる。また、高吸収性ポリマー中心非積層部２３と高吸収性ポリマー両側非積層部２４を設けることで、高吸収性ポリマーが体液を吸収して膨潤することで身体に与える圧迫感がより減少され、装着感がより良好となる。
【００３４】
高吸収性ポリマー両側非積層部２４の外形は、直線状、曲線状、破線状等、長手方向に延在できる形状であればよい。
【００３５】
高吸収性ポリマー両側非積層部２４の長手方向の寸法は、５０ｍｍ以上３００ｍｍ以下であることが好ましく、幅方向の寸法は、１ｍｍ以上３０ｍｍ以下であることが好ましい。上記の数値範囲内とすることにより、吸収性シート２０の長手方向及び幅方向の可撓性がより向上し、フィット性がより良好となる。
【００３６】
＜立体ギャザー＞
吸収性物品１の上側の表面には、立体ギャザーが設けられていてもよい。この立体ギャザーは、トップシート１０とともに体液の閉じ込め空間を形成し、体液の横漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム、及びポリウレタン等からなる、糸状、紐状、平型形状のものを適宜使用することができる。
【００３７】
＜吸収性物品の製造方法＞
吸収性物品１の製造方法としては、特に限定はなく、従来公知の方法を採用することができる。例えば、必要に応じて、液拡散性シート及び立体ギャザーをあらかじめトップシート１０上に配置し、このトップシート１０とバックシート３０との間に吸収性シート２０を挟持する。吸収性シート２０は、不織布シート２１の間に高吸収性ポリマーを担持させる側に、接着剤を塗布し、高吸収性ポリマーを積層することで、高吸収性ポリマー層２２を形成することができる。この際、例えば、高吸収性ポリマー中心非積層部２３及び／又は高吸収性ポリマー両側非積層部２４の外形と同型のブロック材を、高吸収性ポリマー中心非積層部２３及び／又は高吸収性ポリマー両側非積層部２４が形成される箇所に設けて高吸収性ポリマーを積層することで、高吸収性ポリマー中心非積層部２３及び／又は高吸収性ポリマー両側非積層部２４を設けることができる。また、トップシート１０とバックシート３０とを一部又は全周に亘ってホットメルト接着剤やヒートエンボス、超音波エンボス、高周波エンボス等を用いて固定することで、吸収性物品１を製造することができる。
【００３８】
［第二の実施形態］
図２は本発明の第二の実施形態に係る吸収性物品１の平面上面図及び断面図である。なお、本発明の第一の実施形態に係る吸収性物品１の構成及び製造方法と同様のものについては、上述のとおりであり、説明を省略する。
【００３９】
（吸収性シート）
図２（ｂ）から（ｄ）に示すように、本発明の第二の実施形態において、吸収性物品１は、上側に位置する吸収性シート２０１と下側に位置する吸収性シート２０２の２枚の吸収性シート２０を有し、上側に位置する吸収性シート２０１における最上層である第一層の高吸収性ポリマー層２２１の下層である第二層の高吸収性ポリマー層２２２と、下側に位置する吸収性シート２０２における上層である第一層の高吸収性ポリマー層２２３のいずれか一方又は両方は、上側に位置する吸収性シート２０１及び／又は下側に位置する吸収性シート２０２の幅方向中心部において、高吸収性ポリマー中心非積層部２３を、上側に位置する吸収性シート２０１及び／又は下側に位置する吸収性シート２０２の長手方向に沿って有している。
【００４０】
これにより、少なくとも２層以上の高吸収性ポリマー層２２には、吸収性シート２０の幅方向中心部において、高吸収性ポリマーが長手方向に存在していないため、排尿領域となる吸収性シート２０の幅方向中心部でゲルブロッキングを少なくすることができ、吸収性能が良好となる。また、少なくとも２層以上の高吸収性ポリマー層２２には、吸収性シート２０の幅方向中心部に高吸収性ポリマー中心非積層部２３が長手方向に設けられていることで、剛性が比較的高い吸収性シート２０を２枚有している吸収性物品１であっても、長手方向及び幅方向の可撓性が向上し、フィット性が良好となる。また。少なくとも２層以上の高吸収性ポリマー層には、吸収性シート２０の幅方向中心部に高吸収性ポリマーが存在していないため、剛性が比較的高い吸収性シート２０を２枚有している吸収性物品１であっても、高吸収性ポリマーが体液を吸収して膨潤することで身体に与える圧迫感が減少され、装着感が良好となる。
【００４１】
また、図２（ｂ）から（ｃ）に示すように、本発明の第二の実施形態において、吸収性物品１は、最も下側に位置する吸収性シート２０２の最下層である第二層の高吸収性ポリマー層２２４は、高吸収性ポリマー中心非積層部２３の幅方向の全部又は一部に、高吸収性ポリマーが吸収性シート２０の長手方向に沿って存在しており、幅方向の一部に存在している。
【００４２】
また、図２（ｃ）及び（ｄ）に示すように、上側に位置する吸収性シート２０１における下層である第二層の高吸収性ポリマー層２２２と、下側に位置する吸収性シート２０２における上層である第一層の高吸収性ポリマー層２２３のいずれか一方は、上側に位置する吸収性シート２０１又は下側に位置する吸収性シート２０２の幅方向中心線の両側において、高吸収性ポリマーが存在しない高吸収性ポリマー両側非積層部２４を、上側に位置する吸収性シート２０１又は下側に位置する吸収性シート２０２の長手方向に沿って有していることが好ましい。
【００４３】
これにより、少なくとも２層以上の高吸収性ポリマー層２２に、高吸収性ポリマー両側非積層部２４が設けられることで、吸収性物品１において長手方向における可撓性が更に向上し、フィット性が更に良好なものとなる。また、少なくとも２層以上の高吸収性ポリマー層２２には、高吸収性ポリマー両側非積層部２４が設けられることで、高吸収性ポリマーが体液を吸収して膨潤することで身体に与える圧迫感が更に減少され、装着感が更に良好となる。
【００４４】
これにより、吸収性物品１における幅方向中心部の高吸収性ポリマーの分布を少なくしてゲルブロッキングによる吸収性能の低下を防ぎ、かつ、吸収性物品１の長手方向及び幅方向の可撓性を良くしてフィット性を良好にし、高吸収性ポリマーが体液を吸収して膨潤することで身体に与える圧迫感を少なくして装着感も良好にすることができる。
【００４５】
以上、本発明について実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４６】
１      吸収性物品
１０    トップシート
２０    吸収性シート
２０１  上側に位置する吸収性シート
２０２  下側に位置する吸収性シート
２１    不織布シート
２２    高吸収性ポリマー層
２２１  最上層である第一層の高吸収性ポリマー層
２２２  下層（最下層）である第二層の高吸収性ポリマー層  
２２３  上層である第一層の高吸収性ポリマー層
２２４  最下層である第二層の高吸収性ポリマー層
２３    高吸収性ポリマー中心非積層部
２４    高吸収性ポリマー両側非積層部
３０    バックシート
【図１】
2018057707.tif 000003
【図２】
2018057707.tif 000004